(57)【特許請求の範囲】
【請求項１】
上吊引戸の下端面に対向する床面に固定され、この下端面の左右方向に形成された凹溝に係合して前記上吊引戸の前後方向に対する位置調整を可能にする上吊引戸の前後方向調整付下ガイドであって、
その長軸が前記左右方向に対し所定角度をなす長円状ガイド溝孔、及びその長軸が前記左右方向を向く長円状ゲート溝孔が上面側にそれぞれ形成され、この長円状ゲート溝孔には前記位置調整のための調整ネジが挿通される一方、床面に固定するためのビスが挿通される挿通孔が上面側に形成され、前記ビスを前記床面に固定することによって前記床面に配置された下面側が固定され上記上面側との間に空隙部を形成してなるベース部材と、
前記調整ネジが螺合するネジ孔が設けられる一方、前記ベース部材の前記空隙部に、前記調整ネジの前記左右方向への移動に伴って前記左右方向及び前後方向に移動可能なように収容され、且つ、前記調整ネジの前記ネジ孔への螺着によって前記ベース部材に固定される連結部材と、
一方端が前記連結部材に固着され、且つ、他方端が前記ベース部材の長円状ガイド溝孔を挿通し前記上吊引戸の凹溝内にまで延出して前記凹溝に係合してなるガイド部材と、
を備えてなることを特徴とする上吊引戸の前後方向調整付下ガイド。
【発明の詳細な説明】
【技術分野】
【０００１】
本発明は、上吊引戸の下端面に、当該上吊引戸の移動方向（以下、左右方向という。）に形成された凹溝に係合して上吊引戸の、上記左右方向に垂直な方向（以下、前後方向という。）の位置調整を可能にする前後方向調整付下ガイドに関するものである。
【背景技術】
【０００２】
上吊引戸の下端面に形成された左右方向の凹溝に係合すべく、この凹溝に対向する、例えば床面に配置されて上吊引戸の前後方向の振れを軽減するための調整装置（前後方向調整付下ガイド）は従来からある（特許文献１，２）。
例えば図６に示すように、特許文献１の吊戸用の振れ止め構造においては、所定の手順で決定された床面上の締結位置に、調整ベース１０５が下面に位置する状態で載置し、ガイドベース１０６の締結座１０６ａを位置決めする。この状態で、前後のビス穴１０６ｂを介して第１ビス１０７を床面にねじ込んでガイドベース１０６を固定する。次に、振止めローラー１０８がガイドベース１０６の略前後中心に位置するように調整ベース１０５の前後位置を調整したのち、クランプ片１０９のビス挿通穴１０９ａに挿通した第２ビス１１０をビス長穴１０５ａを介して床面に中途位置までねじ込んで仮固定する。このとき、調整ベース１０５は、ガイドベース１０６と床面で前後スライド可能に案内されて、前後方向に遊動できる状態になっている。そして、仮固定したのち、戸パネル１００をガイドレール１０１に吊込んで、その振止めレール１０２を振止めローラー１０８に係合させて戸パネル１００を数回開閉操作すると、振止めローラー１０８の中心位置をガイドレール１０１の中心位置と一致させることができる。このように、振止めローラー１０８が戸パネル１００で位置決めされたのち、調整ベース１０５を保持固定した状態で、第２ビス１１０を最後までねじ込んで調整ベース１０５を前後不動に固定する（以下、本固定という。）ものである。
尚、図６（Ａ）は上記振止め構造の縦断正面図、同図（Ｂ）は引戸の縦断側面図、同図（Ｃ）は上記振止め構造の分解斜視図である。
【０００３】
また、例えば図７に示すように、特許文献２の引き戸用振止め装置においては、位置調節機構２０２としての円板状部材２０３、カウンターギヤ２０４及び調節ギヤ２０５を水平方向に互いに噛み合った状態でベース部材２０１の凹所に収容し、調節ギヤ２０５を回転操作すると円板状部材２０３を回転させることができる。この場合、これらの円板状部材２０３、カウンターギヤ２０４及び調節ギヤ２０５は、それぞれの軸芯が直線上に乗るように配置される。そして、円板状部材２０３にはガイド部２０６の支軸２０７がこの円板状部材２０３の軸芯でなく周囲寄りに偏った位置に取付孔２０３ａを介して固着されている。したがって、円板状部材２０３を回転させると、支軸２０７はこの円板状部材２０３の円板面上において円弧状の軌跡を描いて（蓋部材２０８の挿通孔２０８ａに沿って（同図（Ｃ）参照））移動することとなり、引き戸２００の前後方向（同図（Ａ）中の矢印方向）に対する位置調整を行うことができる。
尚、図７（Ａ）は上記振止め装置の斜視図、同図（Ｂ）は上記振止め装置の蓋部材を外した状態を示す平面図、同図（Ｃ）は蓋部材の裏面図である。
【０００４】
しかしながら、上述した特許文献１の吊戸用の振れ止め構造は、仮固定したのち戸パネル１００を数回開閉操作するだけで、振止めローラー１０８の中心位置をガイドレール１０１の中心位置と一致させることができれば良いが、これら中心位置が一致していない場合には、振止めローラー１０８を当該振止めローラー１０８に直接触れて、或いは、ガイドベース１０６が重ね合わされた調整ベース１０５を工具を介して押動させなければならないため、作業性が良好とは言い難く作業に時間を要してしまう不具合がある。尚、その木口面が閉塞されている吊戸、即ち、当該吊戸の移動方向に形成された凹溝の両端部が閉塞されている吊戸（例えば、図４（Ｂ））のようなものには、振止めローラー１０８に直接触れて押動させることができないことは言うまでもない。また、この振れ止め構造では、中心位置が一致するまで仮固定及び本固定を繰り返して、第２ビス１１０を床面にねじ込んだり緩めたりする回数が増すと、床面のねじ溝にへたりが生じて固定状態が効かなくなってしまう不具合がある。特に、第２ビス１１０が床面に対して斜めに螺着させているものであるため上記へたりが生じ易くなる不具合がある。
【０００５】
また、特許文献２の引き戸用振止め装置は、調節ギヤ２０５を回転操作して、この調節ギヤ２０５に連なる円板状部材２０３を含むギヤ列を作動させることにより、当該円板状部材２０３上の偏芯位置に設けられたガイド部２０６が円弧状の軌跡を描いて移動することを利用して上記位置調整を行うようにしたもので、複数のギヤで以ってギヤ列を構成しなければならないので装置自体が大掛りになって簡便化・低コスト化が図りにくく、特に、作業性向上のために調節ギヤ２０５の位置と円板状部材２０３上のガイド部２０６の位置との距離を長めに採りたい場合、ギヤ列のギヤ数を増やさなければならず、更に簡便化・低コスト化が図りにくくなる不具合がある。また、ギヤを薄鋼板で製作することも可能であるが、噛み合いを確実にし強度を持たせるためにある程度の肉厚を必要とするので、これに伴って装置の調節ギヤ２０５のところ（以下、装置の調整部位という）の地上高が厚みを増し、当該装置を床面の通路に直接設置するような場合に人の出入りの邪魔になる不具合がある。
【特許文献１】特開２０１３−２４９５８９（第７〜８頁、図１，３，４）
【特許文献１】特開２０００−３５２２５８（第２〜３頁、図１，２，４）
【発明の開示】
【発明が解決しようとする課題】
【０００６】
解決しようとする問題点は、上吊引戸の前後方向の振れを軽減するための調整装置としての前後方向調整付下ガイドを、調整における作業性が良好で作業時間を要することのない、また、装置自体の簡便化・低コスト化が図れ、且つ、装置の調整部位における地上高の厚みを抑え、装置を床面の通路に直接設置するような場合に人の出入りの邪魔にならない構造のものとする点である。
【課題を解決するための手段】
【０００７】
本発明の請求項１に係る上吊引戸の前後方向調整付下ガイドは、上吊引戸の下端面に対向する床面に固定され、この下端面の左右方向に形成された凹溝に係合して前記上吊引戸の前後方向に対する位置調整を可能にする上吊引戸の前後方向調整付下ガイドであって、その長軸が前記左右方向に対し所定角度をなす長円状ガイド溝孔、及びその長軸が前記左右方向を向く長円状ゲート溝孔が上面側にそれぞれ形成され、この長円状ゲート溝孔には前記位置調整のための調整ネジが挿通される一方、床面に固定するためのビスが挿通される挿通孔が上面側に形成され、前記ビスを前記床面に固定することによって前記床面に配置された下面側が固定され上記上面側との間に空隙部を形成してなるベース部材と、前記調整ネジが螺合するネジ孔が設けられる一方、前記ベース部材の前記空隙部に、前記調整ネジの前記左右方向への移動に伴って前記左右方向及び前後方向に移動可能なように収容され、且つ、前記調整ネジの前記ネジ孔への螺着によって前記ベース部材に固定される連結部材と、一方端が前記連結部材に固着され、且つ、他方端が前記ベース部材の長円状ガイド溝孔を挿通し前記上吊引戸の凹溝内にまで延出して前記凹溝に係合してなるガイド部材とを備えてなるものであり、上吊引戸の前後方向の位置調整に際しては、調整ネジをベース部材の長円状ゲート溝孔に沿って移動させると、ガイド部材がベース部材の長円状ガイド溝孔に案内されて移動するのに伴って当該ガイド部材及び連結部材が左右方向及び前後方向に移動するようになるので、上吊引戸の前後方向の振れを軽減すべく位置調整が可能になり、また、調整完了時には、調整ネジをネジ孔に螺着すると、連結部材がベース部材に固定され、このときガイド部材の位置決めがなされている。
【０００８】
このような構成に係る前後方向調整付下ガイドによれば、調整ネジの移動及び螺着で調整を完了させことができるので、調整における作業性を良好にして作業時間を要しないものとすることができ、また、例えば上記従来装置のようなギヤ列を配置した構成のものではないので、装置自体の簡便化・低コスト化を図ることができ、更には、ベース部材の、上面側と下面側との間に空隙部を形成しこの空隙部に左右方向及び前後方向に移動可能な連結部材を収容する構成を採ったので、装置の調整部位における地上高の厚みを抑え、装置を床面の通路に直接設置するような場合に人の出入りの邪魔にならないようにすることができる。
【発明の効果】
【０００９】
本発明の上吊引戸の前後方向調整付下ガイドは、調整における作業性が良好で作業時間を要することのない、また、装置自体の簡便化・低コスト化が図れ、且つ、装置の調整部位における地上高の厚みを抑え、装置を床面の通路に直接設置するような場合に人の出入りの邪魔にならないものとする利点がある。
【発明を実施するための最良の形態】
【００１０】
本発明の実施の形態に係る上吊引戸の前後方向調整付下ガイドを図１〜４を参照して説明する。
本上吊引戸の前後方向調整付下ガイド１は、図１に示すように、上吊引戸２の下端面に対向する床面の適宜位置に配置され、この下端面の左右方向（同図中、矢印Ａ，Ｂ方向、この方向に上吊引戸２が移動する。）に形成された凹溝２ａに係合して上吊引戸２に対する前後方向（同図中、矢印Ｃ，Ｄ方向）の位置調整を可能にするものである。尚、同図は、上吊引戸２が閉成されている状態のときを描いており、後述のガイド部材が上吊引戸２の凹溝２ａ内にまで延出して当該凹溝２ａに係合し、このガイド部材を含む下ガイド１の略半分部分が上吊引戸２の下端面に対向していて、後述の調整ネジを含むもう一方の略半分部分が通路側にはみ出しているところを示す。
【００１１】
本上吊引戸の前後方向調整付下ガイド１の具体的構成を図２を参照して説明する。但し、図２（Ａ）は本下ガイド１の組立て図、同図（Ｂ）は本下ガイド１の分解斜視図である。
本下ガイド１は、床面に固定されるベース部材３と、このベース部材３の空隙部３ｃに収容される連結部材４と、この連結部材４に固着されるガイド部材５とで構成されている簡便なものである。
【００１２】
このうちのベース部材３は、その下面３ｂ（図３参照）側が開口されて薄平な略長方形状に成形された成形品であり、その上面３ａ側の一方端寄りの部位は小高な円錐台状に形成されており、この円錐台６ａの中央に上吊引戸の前後方向の位置調整のための調整ネジ７が挿通される長円状ゲート溝孔６ｂが、当該ゲート溝孔６ｂの長軸がこのベース部材３の長手方向、即ち、左右方向を向くようにして設けられている。
更に、ベース部材３の上面３ａには、その略中央及び他方端寄りの部位に皿ビス孔６ｃ，６ｄが設けられており、この皿ビス孔６ｃ，６ｄは、ベース部材３を床面に固定するときの皿ビス（図示せず）の挿通孔である。
更にまた、これら皿ビス孔６ｃ，６ｄの略中間部位にガイド部材５が挿通される長円状ガイド溝孔６ｅが、当該ガイド溝孔６ｅの長軸がこのベース部材３の長手方向に対し、即ち、左右方向に対し所定角度をなすようにして設けられている。この長円状ガイド溝孔６ｅは、上記位置調整のときにガイド部材５を案内する機能を果たし、連結部材４の前後方向への移動を可能にする（このとき、前後方向のみならず左右方向にも移動する）ものである。
ところで、ベース部材３は、上述のように床面に皿ビスで固定されるが、このとき、このベース部材３の上面３ａ側と、当該ベース部材３の、床面に配置される下面３ｂ側との間に極めて薄平な空隙部３ｃが形成されるようにして、この空隙部３ｃに連結部材４を収容し得るようにしてある（図３を参照）。
尚、ベース部材３の円錐台６ａには、図２などに示すように、目盛ｓが表示されており、これにより上記位置調整に際して調整ネジ７を移動させるときの便宜を図っている。
【００１３】
また、連結部材４は、上述したようにベース部材３の空隙部３ｃに収容される部材であるので、極めて薄平な略長方形状をなす板状材である。その上面側の一方端寄りの部位には、本実施の形態では、リング状の受台８が固着され、この受台８には、調整ネジ７が螺合するためのネジ溝が螺刻され、このネジ溝が、連結部材４に設けられたネジ孔４ｃ（図３（Ｂ）参照）に連続する態様をなしており、これにより調整ネジ７との螺合長さが十分確保されるようにしている。そして、このような受台８のネジ溝及び連結部材４のネジ孔に螺着する調整ネジ７によって当該連結部材４がベース部材３に固定される一方、この調整ネジ７を弛緩して当該調整ネジを左右方向に移動させると、これに伴って当該連結部材４が左右方向及び前後方向に移動するようになっている。
更に、この上面側の他方端寄りの部位には、ガイド部材５の一方端が、例えば当該端部をカシメなどして固着されている。
更にまた、これら受台８とガイド部材５との略中間部位に上記ベース部材３の皿ビス孔６ｃを介して挿通される、ベース部材３を固定するための皿ビス（図示せず）の挿通孔として長円状挿通孔４ａが設けられ、この挿通孔４ａの長軸はこの連結部材４の長手方向に対し、即ち、左右方向に対し所定角度（この所定角度は、ベース部材３のガイド溝孔６ｅの長軸がなす角度と同一である。）をなすようにして設けられている。この挿通孔４ａは、ベース部材３を固定するための皿ビス（図示せず）との干渉を防止するべく長円状に形成されている。尚、連結部材４の、ガイド部材５が立設された近傍の端部に略凹状の切欠きが施されているが、これは、上記ベース部材３の皿ビス孔６ｄを介して挿通される、ベース部材３を固定するための皿ビス（図示せず）との干渉を防止するためのものである。
【００１４】
また、ガイド部材５は、本実施の形態では単なる長寸の柱状部材であり、上述のように当該ガイド部材５の一方端が連結部材４に固着される一方、その他方端がベース部材３の長円状ガイド溝孔６ｅを挿通し、本下ガイド１が上吊引戸２の下端面に対向する床面の適宜位置に配置されたときには、上吊引戸２の凹溝２ａ内にまで延出して当該凹溝２ａに係合する態様が採られる。
尚、ガイド部材５の他方端に、例えば転動輪（図示せず）を軸着させる構造にしてもよい。
【００１５】
次に、本下ガイド１の動作を図３を参照して説明する。
図１に示すような上吊引戸２が閉成されている状態のときに、上吊引戸２の前後方向の位置調整を行う場合、まず、ガイド部材５の、上吊引戸２の凹溝２ａ内での係合位置を目視してガイド部材５が凹溝２ａに片当たりしているか否かを確かめたり、或いは、上吊引戸２を数回開閉操作して上吊引戸２の開閉動作の軽重を確かめたりしてガイド部材５の凹溝２ａに対する片当たり状態を把握する。しかる後に、例えばガイド部材５が凹溝２ａの略中央に位置するように、上記位置調整を行えばよい。
ここでは説明の都合上、現にガイド部材５が凹溝２ａに片当たりした状態にあり、そのときの本下ガイド１の調整ネジ７やガイド部材５が図３（Ｂ）の状態、即ち、調整ネジ７がゲート溝孔６ｂの略中央にあり、また、ガイド部材５がガイド溝孔６ｅの略中央にある状態になっているものとする。
【００１６】
このような状態を解消すべく上記位置調整を行う場合には、調整ネジ７を、例えばドライバーなどで弛緩して当該調整ネジ７を、図３（Ａ）に示すように右方向（矢印Ａ方向）に移動させるか、又は同図（Ｃ）に示すように左方向（矢印Ｂ方向）に移動させるかすれば、これに伴ってガイド部材５がベース部材３の長円状ガイド溝孔６ｅに案内されて移動するので、当該ガイド部材５のみならず連結部材４が、同図（Ａ）に示す右方向及び後方向（矢印Ｃ方向）に移動し、又は同図（Ｃ）に示す左方向及び前方向（矢印Ｄ方向）に移動する。これによりガイド部材５をガイド溝孔６ｅの略中央に移動させ当該ガイド部材５の片当たり状態を解消させることができる。しかる後、調整ネジ７を螺着して締め付けていくと、ベース部材３の空隙部３ｃで遊動可能であった連結部材４が引き寄せられ、当該連結部材４とによってベース部材３の円錐台６ａを挟み込んで当該ベース部材３が固定されてガイド部材５が位置決めされ、上吊引戸２の前後方向の振れを軽減するための位置調整が完了する。その際、連結部材４に設けられた突起４ｂ（図２（Ｂ）参照）が、ベース部材３に食い込む状態となる。
尚、図３（Ａ）や同図（Ｃ）では、調整ネジ７をゲート溝孔６ｂの端部に移動させたところを、また、ガイド部材５をガイド溝孔６ｅの端部に移動させたところを表示しているが、上記位置調整に際しては、調整ネジ７をゲート溝孔６ｂの中途位置（従って、ガイド部材５もガイド溝孔６ｅの中途位置）に移動させて完了する場合もあることはもちろんである。
【００１７】
ところで、上述した実施の形態に係る前後方向調整付下ガイド１は、図４（Ａ）に示すような、その木口面が開口されている上吊引戸２、即ち、上吊引戸２の左右方向（矢印Ａ，Ｂ方向）に形成された凹溝２ａの両端部が開口しているものに使用した場合を説明したが、同図（Ｂ）に示すような、その木口面が閉塞されている上吊引戸２０に対しても使用できることは言うまでもない。
この場合には、ガイド部材５が上吊引戸２０の凹溝２０ａに片当たりしているか否かを目視で確認することはできないが、上吊引戸２０を数回開閉操作を繰り返して上吊引戸２０の開閉動作の軽重を確かめれば片当たり状態を把握できるので、上記実施の形態で述べた動作手順に従って、調整ネジ７を左右方向に移動させれば、上吊引戸２０の前後方向の振れを軽減すべく位置調整が容易に行える。
【００１８】
また、上述した実施の形態に係る前後方向調整付下ガイド１においては、調整ネジ７は、その頭部がさら小ねじのように皿状になっているものであったが、例えば前後方向調整付下ガイド１０の調整ネジ９に示す（図５参照）ような、六角状になっているものにしてもよい。このようにすると、上吊引戸２の横から、言い換えれば前後方向から例えばスパナで調整することができる。また、調整ネジ９が上吊引戸２の下に位置してしまう場合にも、前後方向からスパナで調整することができる。
【産業上の利用可能性】
【００１９】
本発明の上吊引戸の前後方向調整付下ガイドは、上吊引戸の前後方向の振れを軽減するための位置調整装置として、装置自体の簡便化、すなわち低コスト化が図られ、更に、装置の調整部位における地上高の厚みが抑えられており、また、調整における作業性が良好で作業時間を要することのないものなので、既存のものに比べ利用価値の高いものと言える。
【図面の簡単な説明】
【００２０】
【図１】本実施の形態に係る前後方向調整付下ガイドの使用状態を示す外観斜視図である。
【図２】図１の前後方向調整付下ガイドのアセンブリ図及び分解斜視図である。
【図３】図１の前後方向調整付下ガイドの動作説明図である。
【図４】図１の上吊引戸及びこの上吊引戸とは異なる上吊引戸に前後方向調整付下ガイドを使用したときの状態を示す外観斜視図である。
【図５】図１の前後方向調整付下ガイドの調整ネジとは異なるタイプのネジに置き換えた前後方向調整付下ガイドのアセンブリ図である。
【図６】従来例の吊戸用の振れ止め構造の要部断面図及び分解斜視図である。
【図７】従来例の引き戸用振止め装置の使用状態を示す外観斜視図及び要部平面図である。
【符号の説明】
【００２１】
１，１０              前後方向調整用下ガイド
２，２０              上吊引戸
２ａ，２０ａ          凹溝
３                    ベース部材
３ａ                  上面
３ｂ                  下面
３ｃ                  空隙部
４                    連結部材
４ｃ                  ネジ孔
５                    ガイド部材
６ｂ                  長円状ゲート溝孔
６ｅ                  長円状ガイド溝孔
７                    調整ネジ
【図１】
0006472135.tif 000002
【図２】
0006472135.tif 000003
【図３】
0006472135.tif 000004
【図４】
0006472135.tif 000005
【図５】
0006472135.tif 000006
【図６】
0006472135.tif 000007
【図７】
0006472135.tif 000008